(57)【要約】      （修正有）【課題】採取対象組織が硬い場合であっても、比較的太い針状器具を用いることによって、採取される組織の量を確保できるシステムを提供する。【解決手段】生検用組織標本採取システムは、生体組織標本を採取するための針状器具と、前記針状器具を保持し、該針状器具による前記生体組織標本の採取動作を制御する生検装置と、前記針状器具を所定の振動数で振動させる振動付与手段と、を有する。【選択図】図２
2013013640.tif 000002
【特許請求の範囲】
【請求項１】
生体組織標本を採取するための針状器具と、
前記針状器具を保持し、該針状器具による前記生体組織標本の採取動作を制御する生検装置と、
前記針状器具を所定の振動数で振動させる振動付与手段と、を有することを特徴とする生検用組織標本採取システム。
【請求項２】
前記振動付与手段が、前記針状器具に装着されていることを特徴とする請求項１に記載の生検用組織標本採取システム。
【請求項３】
前記振動付与手段が、前記生検装置に装着されていることを特徴とする請求項１に記載の生検用組織標本採取システム。
【請求項４】
前記振動付与手段が、前記針状器具を、患部への刺し入れ方向に振動させることを特徴とする請求項１乃至３の何れか一に記載の生検用組織標本採取システム。
【請求項５】
前記振動付与手段が、前記針状器具を、患部への刺し入れ方向と直交する方向に振動させることを特徴とする請求項１乃至３の何れか一に記載の生検用組織標本採取システム。
【請求項６】
生体組織標本を採取するための針状器具と、前記針状器具を保持し、該針状器具による前記生体組織標本の採取動作を制御する生検装置と、を有する生検用組織標本採取システムの制御方法であって、
振動付与手段が、前記針状器具を所定の振動数で振動させるステップを備えることを特徴とする制御方法。
【請求項７】
前記振動付与手段が、前記針状器具に装着されていることを特徴とする請求項６に記載の制御方法。
【請求項８】
前記振動付与手段が、前記生検装置に装着されていることを特徴とする請求項６に記載の制御方法。
【請求項９】
前記振動付与手段が、前記針状器具を、患部への刺し入れ方向に振動させることを特徴とする請求項６乃至８の何れか一に記載の制御方法。
【請求項１０】
前記振動付与手段が、前記針状器具を、患部への刺し入れ方向と直交する方向に振動させることを特徴とする請求項６乃至８の何れか一に記載の制御方法。
【請求項１１】
生体組織標本を採取するための針状器具と、前記針状器具を保持し、該針状器具による前記生体組織標本の採取動作を制御する生検装置と、を有する生検用組織標本採取システムに関し、前記針状器具を所定の振動数で振動させる振動付与装置。
【請求項１２】
前記針状器具に装着されていることを特徴とする請求項１１に記載の振動付与装置。
【請求項１３】
前記生検装置に装着されていることを特徴とする請求項１１に記載の振動付与装置。
【請求項１４】
前記針状器具を、患部への刺し入れ方向に振動させることを特徴とする請求項１１乃至１３の何れか一に記載の振動付与装置。
【請求項１５】
前記針状器具を、患部への刺し入れ方向と直交する方向に振動させることを特徴とする請求項１１乃至１３の何れか一に記載の振動付与装置。
【発明の詳細な説明】
【技術分野】
【０００１】
本発明は、生検用の組織標本を採取するシステム（装置）の技術に関する。
【背景技術】
【０００２】
生検とは、生体から組織の小切片を切り取って、病理学的に調べることをいい、医師による診断の確定のために行われ、特に悪性腫瘍の診断のためには不可欠である。また、穿刺針を用いて試料を採取することを針生検といい（広辞苑第六版）、針生検の対象となる臓器には、乳腺、リンパ節、甲状腺などがある。
近年、上記のような生検を行うことを目的としたシステム（装置）に関する技術の提案が多数なされている（特許文献１、２など）。
【０００３】
一方、人の組織は軟らかいものから硬いものまで種々のものがある。生検の対象を、例えば、乳腺組織とした場合、皮膚及び脂肪は軟らかいため問題は生じないが、乳腺組織そのものは繊維性の成分が多く、組織採取用の針状器具（生検針）を刺すことが困難なときもある。また、生検の対象を乳腺組織とした場合に、大きな腫瘤に対し生検針を刺すことは比較的容易であるが、問題となるのは、腫瘤の大きさが１ｃｍ以下、特に、０．５ｃｍ程度の場合であって、この大きさの腫瘤になると、硬い乳腺組織の中にある腫瘤に生検針を当てることが難しい。
他方、上記のような組織採取が難しいという事態を打開する対策としては、生検針を細くし抵抗を減らした上で組織採取を行うという方策が取られている。
【先行技術文献】
【特許文献】
【０００４】
【特許文献１】特開２０１１−１０４１１７号公報
【特許文献２】特開２０１０−２３３８５８号公報
【発明の概要】
【発明が解決しようとする課題】
【０００５】
しかしながら、上記技術のように、生検針を細くすると採取される組織の量が少なくなり、もともと小さい腫瘤の採取を狙っていることとも相まって、採取される組織が少量であれば、病理診断が困難になるという問題点がある。
【０００６】
そこで本発明では、上記問題点に鑑み、生検用の採取対象組織が硬い場合であっても、比較的太い針状器具（生検針）を用いることによって、採取される組織の量を確保し、医師による診断率を向上させる生検用組織標本採取システムおよび当該システムの制御方法を提供することを目的とする。
【課題を解決するための手段】
【０００７】
開示する生検用組織標本採取システムの一形態は、生体組織標本を採取するための針状器具と、前記針状器具を保持し、該針状器具による前記生体組織標本の採取動作を制御する生検装置と、前記針状器具を所定の振動数で振動させる振動付与手段と、を有することを特徴とする。
【０００８】
開示する振動付与装置の一形態は、生体組織標本を採取するための針状器具と、前記針状器具を保持し、該針状器具による前記生体組織標本の採取動作を制御する生検装置と、を有する生検用組織標本採取システムに対し、前記針状器具を所定の振動数で振動させる振動付与手段を有することを特徴とする。
【発明の効果】
【０００９】
開示する生検用組織標本採取システムは、生検用の採取対象組織が硬い場合であっても、比較的口径の大きい針状器具を用いることによって、採取される組織の量を確保し、医師による診断率を向上させることができる。
【図面の簡単な説明】
【００１０】
【図１】従来の生検用組織標本採取システムの概要を説明する図である。
【図２】本実施の形態に係る生検用組織標本採取システムの全体概要図である。
【図３】本実施の形態に係る振動付与手段の概要を説明する図である。
【図４】本実施の形態に係る針状器具による生検用組織標本の採取動作を説明する図（その１）である。
【図５】本実施の形態に係る針状器具による生検用組織標本の採取動作を説明する図（その２）である。
【図６】本実施の形態に係る針状器具による生検用組織標本の採取動作を説明する図（その３）である。
【発明を実施するための形態】
【００１１】
図面を参照しながら、本発明を実施するための形態について説明する。
（本実施の形態に係る生検用組織標本採取システムの構造）
【００１２】
図１及び図２を用いて、本実施の形態に係る生検用組織標本採取システム（以下、単に「生検システム」という。）１００の構造について、従来の生検システム２００の構造と比較しながら説明する。図１は、生検システム２００の概要を説明する図であり、図２は、生検システム１００の概要を説明する図である。
【００１３】
はじめに、従来の生検システム２００について説明する。図１で示すように、生検システム２００は、針状器具２１０、生検装置２２０、操作手段２３０を有する。針状器具２１０は、中空であって、細長い針のような形状をしており、生検用の組織標本を採取するために、患者に刺入して使用する。
【００１４】
生検装置２２０は、針状器具２１０を保持し、後述する操作手段２３０を介して、針状器具２１０の生検用組織標本の採取動作を制御する役割を果たす部位である。
【００１５】
操作手段２３０は、生検装置２２０に含まれる部位であり、例えば、ユーザ（医師）による操作手段２３０の押下操作などが行われたことをトリガーとして、針状器具２１０による生検用組織標本の採取動作が開始されるなど、ユーザ（医師）と生検システム２００とのインターフェース機能を発揮する部位である。
【００１６】
生検システム２００は、上記のような構成を有しており、針状器具２１０を患者に刺し入れ、針状器具２１０の中空部分に患者の組織標本を採取することで、医師による病理診断を可能にしている。
【００１７】
しかしながら、生検システム２００においては、病理診断を行う部位の組織が硬い場合、生検針を細くし組織採取を行うが、生検針を細くすると採取される組織の量が少なくなり、病理診断が困難になる。
【００１８】
そこで、生検システム１００は、患者（患部）に刺し入れる針状器具１１０が振動するように制御することによって、組織標本採取時の針状器具１１０の患部に対する抵抗を減らす。こうすることによって、生検システム１００は、比較的口径の大きい（太い）針状器具１１０での微小病変の正確な穿刺を容易にし、より多くの組織採取を可能にする。
【００１９】
図２で示すように、生検システム１００は、針状器具１１０、生検装置１２０、操作手段１３０、振動付与手段１４０を有する。針状器具１１０は、中空であって、細長い針のような形状をしており、生検用の組織標本を採取するために、患者に刺入して使用する。
【００２０】
生検装置１２０は、針状器具１１０を保持し、後述する操作手段１３０を介して、針状器具１１０の生検用組織標本の採取動作を制御する役割を果たす部位である。
【００２１】
操作手段１３０は、生検装置１２０に含まれる部位であり、例えば、ユーザ（医師）による操作手段１３０の押下操作などが行われたことをトリガーとして、針状器具１１０による生検用組織標本の採取動作が開始されるなど、ユーザ（医師）と生検システム１００とのインターフェース機能を発揮する部位である。
【００２２】
振動付与手段１４０は、針状器具１１０を所定の振動数で振動させる機能を果たす器具である。振動付与手段１４０は、例えば、バイブレータ（Vibrator）と呼ばれる器具であって、モーターの軸に重心を偏らせた重りを取り付け、回転させることで振動を生むものである。
【００２３】
振動付与手段１４０は、針状器具１１０に対し直接的に振動を付与する形態であっても良く、例えば、生検装置１２０を介して、針状器具１１０に対し間接的に振動を付与する形態であっても良い。従って、振動付与手段１４０は、図２で示すように、針状器具１１０に装着される形態であっても良く、生検装置１２０の側面に装着される形態であっても良い。また、振動付与手段は、図２で示すように、生検装置１２０に内蔵される形態であっても良い。
【００２４】
図３で示すように、振動付与手段１４０は、針状器具１１０について、ランダムな方向に振動を付与する形態であっても良く、針状器具１１０の患部への刺し入れ方向に振動を付与する形態であっても良く、また、針状器具１１０の患部への刺し入れ方向と直交する方向に振動を付与する形態であっても良い。
【００２５】
上記のように、生検システム１００は、患者に刺し入れる針状器具１１０が振動するように制御することによって、組織標本採取時の針状器具１１０の患部に対する抵抗を減らすことができる。こうすることによって、生検システム１００は、比較的口径の大きい（太い）針状器具１１０での微小病変の正確な穿刺を容易にし、より多くの組織採取を可能にする。
（本実施の形態に係る生検用組織標本採取システムの使用方法）
【００２６】
図２乃至図６を用いて、生検システム１００の使用方法について説明する。図４は、採取する組織（病変組織）と生検システム１００（又は針状器具１１０）との関係を示す図であり、図５及び図６は、針状器具１１０の拡大図である。
【００２７】
はじめに、ユーザ（医師）操作に従い振動付与手段１４０によって、直接的又は間接的に、針状器具１１０が振動するように制御する。このようにすることで、針状器具１１０の患部刺し入れ時の抵抗を減らすことができるため、患部が乳腺組織のように硬い場合でもあっても、比較的広口径の針状器具１１０を使用することができ、微小病変の正確な穿刺を可能とする。
【００２８】
次に、図４で示すように、ユーザ（医師）が、イメージ下（超音波、Ｘ線、ＣＴ等）で、患者の乳腺組織１５０の中に有る病変組織（採取対象組織）１６０の手前まで、生検システム１００の針状器具１１０先端を刺し入れる。
【００２９】
さらに、ユーザ（医師）が、例えば、操作手段１３０の押下操作を行うと、針状器具１１０による生検用組織標本の採取動作が開始される。ここで生検用組織標本の採取動作について説明する。図５で示すように、針状器具１１０の根元部位にあった外筒１１２が、操作手段１３０の押下操作をトリガーにして、図６で示すように、針状器具１１０の先端部位へ移動する。そうすると、外筒１１２及び内針１１４によって病変組織１６０が切り取られ、試料ノッチ１１６内に生検用の採取対象組織（病変組織）１６０が採取される。
最後に、ユーザ（医師）が、試料ノッチ１１６に採取された組織を顕微鏡などで観察することによって、患者に対する診断の確定を行う。
【００３０】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３１】
１００  生検用組織標本採取システム
１１０  針状器具
１１２  外筒
１１４  内針
１１６  試料ノッチ
１２０  生検装置
１３０  操作手段
１４０  振動付与手段（振動付与装置）
１５０  乳腺組織
１６０  採取対象組織（病変組織）
２００  従来の生検用組織標本採取システム
２１０  従来の針状器具
２２０  従来の生検装置
２３０  従来の操作手段
【図１】
2013013640.tif 000003
【図２】
2013013640.tif 000004
【図３】
2013013640.tif 000005
【図４】
2013013640.tif 000006
【図５】
2013013640.tif 000007
【図６】
2013013640.tif 000008